【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
カーボンナノチューブ（ＣＮＴ）シートの製造方法であって、
ｉ）連続搬送ベルトを、プール領域および真空ボックスを横切る経路に沿って動かす工程；
ｉｉ）前記連続搬送ベルトの上面に、連続多孔質担体材料を設ける工程；
ｉｉｉ）液に分散させたカーボンナノチューブ（ＣＮＴ）の水性懸濁液を前記多孔質担体材料に塗布する工程であって、前記分散ＣＮＴは、長さの中央値が少なくとも０．０５ｍｍであり且つアスペクト比が少なくとも２，５００：１である工程；
ｉｖ）前記プール領域の前記連続多孔質担体材料上であって前記連続多孔質担体材料の幅にわたって、前記ＣＮＴの前記水性懸濁液の連続プールを形成する工程であって、前記ＣＮＴの前記水性懸濁液の前記連続プールが、前記連続多孔質担体材料上の液溜まり（puddling）発生を防止するのに十分な均一な厚みを有する工程；
ｖ）前記多孔質担体材料および前記ＣＮＴの前記水性懸濁液の前記連続プールを、前記真空ボックス上に進める工程；
ｖｉ）前記ＣＮＴの前記水性懸濁液の前記液体を、前記多孔質担体材料を介して、真空によって引き出し、濾過されたＣＮＴの均一分散液を前記多孔質担体材料上に濾過して、濾過されたＣＮＴ構造体を形成する工程；
ｖｉｉ）前記濾過されたＣＮＴ構造体からすべての残留液体を任意に乾燥させて、前記多孔質担体材料上にＣＮＴシートを形成する工程；及び
ｖｉｉｉ）前記多孔質担体材料から前記ＣＮＴシートを取り外す工程；
を有する、上記方法。
【請求項２】
連続複合ＣＮＴシートの連続製造方法であって、
ｉ）連続搬送ベルトを、プール領域および真空ボックスを横切る経路に沿って動かす工程；
ｉｉ）前記動く連続搬送ベルトの上面に、連続多孔質担体材料を設ける工程；
ｉｉｉ）前記連続多孔質担体材料の上面に、連続多孔質ベール層を設ける工程；
ｉｖ）液に分散させたカーボンナノチューブ（ＣＮＴ）の水性懸濁液を前記多孔質ベール層に塗布する工程であって、前記分散ＣＮＴは、長さの中央値が少なくとも０．０５ｍｍであり且つアスペクト比が少なくとも２，５００：１である工程；
ｖ）前記プール領域を動く前記多孔質ベール層上であって前記多孔質ベール層の幅にわたって、前記ＣＮＴの前記水性懸濁液の連続プールを形成する工程であって、前記ＣＮＴの前記水性懸濁液の前記連続プールが、前記多孔質ベール層上の液溜まり（puddling）発生を防止するのに十分な均一な厚みを有する工程；
ｖｉ）前記多孔質ベール層および前記ＣＮＴの前記水性懸濁液の前記連続プールを、前記真空ボックス上に進める工程；
ｖｉｉ）前記ＣＮＴの前記水性懸濁液の前記液体を、前記多孔質ベール層および前記多孔質担体材料を介して、真空によって引き出し、濾過されたＣＮＴの均一分散液を前記多孔質ベール層上に濾過して、濾過されたＣＮＴ構造体を形成する工程；
ｖｉｉｉ）前記濾過されたＣＮＴ構造体からすべての残留液体を任意に乾燥させて、前記多孔質担体材料上に複合ＣＮＴシートを形成する工程；及び
ｉｘ）前記連続多孔質担体材料から前記複合ＣＮＴシートを取り外す工程；
を有する、上記方法。
【請求項３】
連続ＣＮＴシートの連続製造方法であって、
ｉ）連続搬送ベルトを、プール領域および真空ボックスを横切る経路に沿って動かす工程；
ｉｉ）前記連続搬送ベルトの上面に、連続多孔質担体ベール層を設ける工程；
ｉｉｉ）液に分散させたカーボンナノチューブ（ＣＮＴ）の水性懸濁液を前記多孔質担体ベール層に塗布する工程であって、前記分散ＣＮＴは、長さの中央値が少なくとも０．０５ｍｍであり且つアスペクト比が少なくとも２，５００：１である工程；
ｉｖ）前記プール領域の前記連続多孔質担体ベール層上であって前記連続多孔質担体ベール層の幅にわたって、前記ＣＮＴの前記水性懸濁液の連続プールを形成する工程であって、前記ＣＮＴの前記水性懸濁液の前記連続プールが、前記連続多孔質担体ベール層上の液溜まり（puddling）発生を防止するのに十分な均一な厚みを有する工程；
ｖ）前記連続多孔質担体ベール層および前記ＣＮＴの前記水性懸濁液の前記連続プールを、前記真空ボックス上に進める工程；
ｖｉ）前記ＣＮＴの前記水性懸濁液の前記液体を、前記連続多孔質担体ベール層を介して、真空によって引き出し、濾過されたＣＮＴの均一分散液を前記連続多孔質担体ベール層上に濾過して、前記担体ベール層上に濾過されたＣＮＴ構造体を形成する工程；
ｖｉｉ）前記濾過されたＣＮＴ構造体からすべての残留液体を任意に乾燥させて、前記ＣＮＴ構造体および前記担体ベール層を含む連続複合ＣＮＴベールシートを形成する工程；
ｖｉｉｉ）前記連続搬送ベルトから前記連続複合ＣＮＴベールシートを取り外す工程；
を有する、上記方法。
【請求項４】
前記連続多孔質担体材料が、前記ＣＮＴの前記水性懸濁液の前記分散液から前記分散ＣＮＴを濾過する、織物状又はメッシュ状の合成疎水性又は親水性ポリマーを有する請求項１〜３のいずれか一項に記載の方法。
【請求項５】
前記ＣＮＴシートは、ＣＮＴ坪量が少なくとも１グラム／平方メートル（ｇｓｍ）であり且つ約４０ｇｓｍまでであり、（水に対する）相対密度が約１．０未満である請求項１〜４のいずれか一項に記載の方法。
【請求項６】
前記ＣＮＴが、単層ＣＮＴ（ＳＷＣＮＴ）のみから本質的になるか、多層ＣＮＴ（ＭＷＣＮＴ）のみから本質的になるか、又はこれらの組合せのみから本質的になる請求項１〜５のいずれか一項に記載の方法。
【請求項７】
前記連続多孔質担体材料は、その幅が約１５２ｃｍ（６０インチ）までである請求項１〜６のいずれか一項に記載の方法。
【請求項８】
ａ）連続マトリクスを形成するカーボンナノチューブ（ＣＮＴ）の不織布シートであって、ＣＮＴ坪量が少なくとも１グラム／平方メートル（ｇｓｍ）であり、前記ＣＮＴは、長さの中央値が少なくとも０．０５ｍｍ（５０ミクロン）であり且つアスペクト比（長さ／直径、Ｌ／Ｄ）が少なくとも２，５００：１である、ランダム配向および均一分布構造に配置されたＣＮＴの不織布シートを有するＣＮＴシート；及び
ｂ）連続多孔質ベール層；
を有する連続ＣＮＴ複合シート。
【請求項９】
（水に対する）相対密度が約１．５以下である請求項８に記載の連続ＣＮＴ複合シート。
【請求項１０】
前記坪量が、約４０ｇｓｍまでである、請求項８及び９のいずれか一項に記載の連続ＣＮＴ複合シート。
【請求項１１】
前記連続ＣＮＴ複合シートの前記相対密度が、約０．８以下である、請求項８〜１０のいずれか一項に記載の連続ＣＮＴ複合シート。
【請求項１２】
前記ＣＮＴが、単層ＣＮＴ（ＳＷＣＮＴ）、多層ＣＮＴ（ＭＷＣＮＴ）、またはこれらの組み合わせを含む、請求項８〜１１のいずれか一項に記載の連続ＣＮＴ複合シート。
【請求項１３】
前記連続多孔質ベール層は、炭素繊維ベール、ポリエステルベール、及びＰＥＥＫ（ポリエーテル・エーテル・ケトン）ベールからなる群から選ばれる請求項８〜１２のいずれか一項に記載の連続ＣＮＴ複合シート。
【請求項１４】
前記ＣＮＴシートのＣＮＴの構造は、１０％以下の変動係数（ＣＯＶ）の均一性を有する請求項８〜１３のいずれか一項に記載の連続ＣＮＴ複合シート。
【請求項１５】
前記ＣＮＴシートは、ＣＮＴの水性懸濁液の液を連続多孔質ベール層を介して濾過することにより形成される、濾過されたＣＮＴ構造体を有する請求項８〜１４のいずれか一項に記載の連続ＣＮＴ複合シート。